(57)【要約】【課題】エアフィルタが平板状ではなく屈曲していてもブラシ保持部の移動がスムーズである空気調和機及び空気調和機の室内機を提供する。【解決手段】エアフィルタは、前記清掃装置の移動方向と直交する方向のある個所で当該直交方向と直交する方向で前記ブラシ保持部の移動方向とは直交しない方向に屈曲した第１屈曲部を有し、  前記ブラシ保持部は、前記エアフィルタの前記第１屈曲部の形状に合うように屈曲した第２屈曲部を有し、当該第２屈曲部には前記ブラシが設けられていない【選択図】図５
2017166800.tif 000002
【特許請求の範囲】
【請求項１】
室内空気と冷媒との間で熱交換する室内熱交換器と、
前記室内空気を機内に取り込む送風ファンと、
この機内に取り込まれる室内空気のフィルタであるエアフィルタと、
前記エアフィルタの室内側に沿って移動し、エアフィルタに付着した塵埃をブラシで除去するブラシ保持部とを備え、
前記エアフィルタは、前記ブラシ保持部の移動方向と直交する方向のある箇所で当該直交方向と直交する方向で前記ブラシ保持部の移動方向とは異なる方向に屈曲した第１屈曲部を有し、
前記ブラシ保持部は、前記エアフィルタの前記第１屈曲部の形状に合うように屈曲した第２屈曲部を有し、当該第２屈曲部には前記ブラシが設けられていないことを特徴とする空気調和機の室内機。
【請求項２】
前記ブラシ保持部で前記ブラシを支持する前記エアフィルタ側の部材は金属製であることを特徴とする請求項１に記載の空気調和機の室内機。
【請求項３】
請求項１又は２に記載の空気調和機の室内機と、
室外熱交換器、圧縮機を備え、前記室内機と接続される室外機とを備える空気調和機。
【発明の詳細な説明】
【技術分野】
【０００１】
本発明は、空気調和機の室内機及び空気調和機に関する。
【背景技術】
【０００２】
室内機のフィルタ等に付着している塵埃を自動で除去する清掃装置が設けられた空気調和機が知られている。
【０００３】
本技術分野の背景技術として、特開平２０１２−１５４５５５号公報（特許文献１）がある。この公報には、「本発明の空気調和機は、空気吸込口及び空気吹出口を有する筐体と、筐体内に配置された熱交換器と、熱交換器の空気吸い込み側に配置されたフィルタと、室内空気を空気吸込口より吸い込みフィルタ及び熱交換器を通してから空気吹出口より吹き出す送風ファンと、フィルタに捕集された塵埃を除去する清掃装置とを備え、清掃装置は、フィルタに捕集された塵埃を掃き取る掃除用刷毛と、フィルタの方向に歯先が向かう第１櫛歯と、フィルタと第１櫛歯との間に位置し第１櫛歯の方向に歯先が向かう第２櫛歯と、第１櫛歯と第２櫛歯との下方に位置し掃除用刷毛により掃き取られた塵埃を貯留する集塵容器とを有する。」と記載されている（要約参照）。
【先行技術文献】
【特許文献】
【０００４】
【特許文献１】特開２０１２−１５４５５５号公報
【発明の概要】
【発明が解決しようとする課題】
【０００５】
しかし、前記特許文献１において、吸い込みフィルタ（エアフィルタ）が掃除用刷毛を備えた清掃装置の移動方向と直交する方向に屈曲した形状（例えば前面側に凸状に張り出している形状）の場合を考えてはいない。この場合は、掃除用刷毛を備えた清掃装置の移動部分も当該形状に合っている（屈曲している）必要がある。そのため、清掃装置の軸状の移動部分の屈曲部分に掃除用刷毛が形成されていると、清掃装置の移動部分の移動の邪魔となってしまうという不具合がある。
そこで、本発明は、エアフィルタが平板状ではなく屈曲していても清掃装置の移動部分（ブラシ保持部）の移動がスムーズである空気調和機及び空気調和機の室内機を提供することを課題とする。
【課題を解決するための手段】
【０００６】
上記課題を解決するため、本発明の一形態は、室内空気と冷媒との間で熱交換する室内熱交換器と、前記室内空気を機内に取り込む送風ファンと、この機内に取り込まれる室内空気のフィルタであるエアフィルタと、前記エアフィルタの室内側に沿って移動し、エアフィルタに付着した塵埃をブラシで除去するブラシ保持部とを備え、前記エアフィルタは、前記ブラシ保持部の移動方向と直交する方向のある箇所で当該直交方向と直交する方向で前記ブラシ保持部の移動方向とは異なる方向に屈曲した第１屈曲部を有し、前記ブラシ保持部は、前記エアフィルタの前記第１屈曲部の形状に合うように屈曲した第２屈曲部を有し、当該第２屈曲部には前記ブラシが設けられていないことを特徴とする。
【発明の効果】
【０００７】
本発明によれば、エアフィルタが平板状ではなく屈曲していてもブラシ保持部の移動がスムーズである空気調和機及び空気調和機の室内機を提供することができる。
上記した以外の課題、構成及び効果は、以下の実施形態の説明により明らかにされる。
【図面の簡単な説明】
【０００８】
【図１】図１は、本発明の一実施例である空気調和機の概略構成図である。
【図２】図２は、本発明の一実施例である空気調和機の室内機の縦断面図である。
【図３】図３は、本発明の一実施例である空気調和機の室内機におけるエアフィルタ及びその周辺の構造物の斜視図である。
【図４】図４は、本発明の一実施例である空気調和機の室内機におけるブラシ保持部の分解図である。
【図５】図５は、本発明の一実施例である空気調和機の室内機におけるブラシ保持部の縦断面図である。
【図６】図６は、本発明の一実施例である空気調和機の室内機におけるブラシ保持部の長手方向前側端部の分解斜視図である。
【図７】図７は、本発明の一実施例である空気調和機の室内機における回転体。レール等を示す縦断面図である。
【発明を実施するための形態】
【０００９】
以下、本発明の実施例について図面を用いて説明する。
図１は、本実施例の概略構成図である。本実施例の空気調和機１は、室外機１と、室内機２とを備えている。
室外機１は、冷媒を圧縮する圧縮機３と、冷媒の流れの向きを切り替える四方弁４と、室外空気と冷媒との間で熱交換する室外熱交換器５と、室外空気を室外機１の内部に取り込むプロペラファン６と、冷媒を膨張させる膨張弁７とを備えている。
【００１０】
室内機２は、室内空気と冷媒との間で熱交換する室内熱交換器８と、室内空気を室内機２の内部に取り込む送風ファンとしての貫流ファン９とを備えている。
また、室外機１において、圧縮機３、四方弁４、室外熱交換器５、膨張弁７、および、室内熱交換器８は、配管１０で接続されており、配管１０を介して冷媒が各機器を循環することができる。冷媒としては、Ｒ４１０ＡやＲ３２等の冷媒が使用され得る。
【００１１】
空気調和機１００の冷房運転時において、四方弁４は、図１の実線で示すような接続状態とされる。この場合、圧縮機３から吐出された冷媒は、室外熱交換器５、膨張弁７、室内熱交換器８の順に流れ、再び圧縮機３に循環するようになっている（図１の実線矢印参照）。一方、空気調和機１００の暖房運転時において、四方弁４は、図１の破線で示すような接続状態とされる。この場合、圧縮機３から吐出された冷媒は、室内熱交換器８、膨張弁７、室外熱交換器５の順に流れ、再び圧縮機３に循環する（図１の破線矢印参照）。
【００１２】
室外機１の内部では、室外空気がプロペラファン６によって吸引されて室外熱交換器５を通過することによって、室外空気と冷媒との間で熱交換が行われる。また、室内機２の内部では、室内空気が貫流ファン９によって吸引されて室内熱交換器８を通過することによって、室内空気と冷媒との間で熱交換が行われる。そして、空気調和機１００は、冷媒と熱交換することによって加熱または冷却された室内空気である調和空気を吹出して、室内の空調を行う。
【００１３】
図２は、室内機２の縦断面図である。室内熱交換器８及び貫流ファン９は、筺体１４内に収納されている。この図では、左側が室内側、右側が壁側であり、符号１５は前面パネルである。符号１７は空気吸込口、符号１８は空気吐出口である。空気吸込口１７の先の筺体１４内には空気吸込口１７から機内に取り込まれる室内空気のフィルタであるエアフィルタ１６が設けられている。
【００１４】
図３は、エアフィルタ１６及びその周辺の構造物の斜視図である（上下前後左右方向を図示している）。エアフィルタ１６の上には、エアフィルタ１６の近傍の筺体１４（図２）側に沿って移動し、エアフィルタ１６に付着した塵埃をブラシで除去するブラシ保持部２１を備えている。
エアフィルタ１６は、ブラシ保持部２１の移動方向（エアフィルタ１６の長手（左右方向）と直交する方向（前後方向）のある箇所、この例で前後方向のほぼ中央部で当該直交方向と直交する方向でブラシ保持部２１の移動方向とは異なる方向に屈曲した第１屈曲部１６ａを有している。この例では、第１屈曲部１６ａは、室内側（上方向）に凸形状で、エアフィルタ１６の左右方向全体に形成されている。
【００１５】
図４は、ブラシ保持部２１の分解図、図５は、同縦断面図である。ブラシ保持部２１は、ブラシ３１と、長尺状の板金３２（ベース板）と、長尺状のブラシ保持部カバー３３とを備えている。板金３２は、エアフィルタ１６側に位置する部材であり、筺体１４側からエアフィルタ１６側にブラシ３１が差し込まれる長孔３４が形成されている。ブラシ３１の基端部にはフランジ３５が形成されている。筺体１４側からエアフィルタ１６側にブラシ３１を長孔３４に差し込むと、図５のようにフランジ３５が板金３２に係り合って、ブラシ３１は板金３２に係止される。この状態でブラシ保持部カバー３３を板金３２のフランジ３５にはめ込むと、ブラシ３１が固定され、ブラシ保持部２１を形成することができる万鈞。ベース板である板金３２は、この例ではその名のとおり、金属製であるが、樹脂製であってもよい。
【００１６】
図３、図５に示すように、ブラシ保持部２１は、エアフィルタ１６の形状に合うように屈曲した第２屈曲部３６を有し、当該第２屈曲部３６にはブラシ３１が設けられていない。すなわち、図５の例では、ブラシ３１が二つに分割されていて、その間には隙間があり、そこにはブラシ３１が設けられていない。第２屈曲部３６は第１屈曲部１６ａに対応している。
【００１７】
次に、ブラシ保持部２１の駆動機構について説明する。図３に示すように、エアフィルタ１６の下部には、エアフィルタ１６の長手方向を長さ方向として推進軸４１が設けられている。推進軸４１は径方向が多角形断面になっていて、一端は軸受４２に軸支される。推進軸４１の他端は、歯車（図示せず）を介して、移動用モータ４３に連結されている。
図６は、ブラシ保持部２１の長手方向前側端部の分解斜視図である。当該端部３７には、キャリッジ４５がネジ７１で固定されている。そして、キャリッジ４５には、スクリュウ４４が差し込まれている。
【００１８】
スクリュウ４４には、推進軸４１の径方向の多角形断面形状に合った孔４７が形成されており、この孔４７には、推進軸４１が挿し通されている。エアフィルタ１６の下部には、エアフィルタ１６の長手方向を長さ方向として推進軸４１と平行なラック４６が設けられている（図３）。ラック４６には、スクリュウ４４が噛合している。
【００１９】
図３に示すように、エアフィルタ１６の上部には、エアフィルタ１６の長手方向を長さ方向として案内枠５１が設けられている。そして、図７に示すように、案内枠５１の上にはエアフィルタ１６の長手方向を長さ方向としてレール５２が形成されている。ブラシ保持部カバー３３の上端には車輪状の回転体５３が設けられている。回転体５３はレール５２内に収納され、レール５２に案内されて移動することができる。
エアフィルタ１６の長手方向左端横には、集塵機構６１が設けられている。集塵機構６１においては、エアフィルタ１６の横に櫛歯６２が多数形成され、また、集塵機構６１の下部には集塵容器６３が設けられている。
【００２０】
次に、ブラシ保持部２１の動作について説明する。移動用モータ４３を回転させることにより推進軸４１が回転し、これによりスクリュウ４４が回転してラック４６と噛み合い、ラック４６上を移動する。スクリュウ４４の動きに連動してキャリッジ４５が動き、キャリッジ４５に保持されたブラシ保持部２１が、ブラシ３１でエアフィルタ１６上の塵埃を掃き取るように、キャリッジ４５上をキャリッジ４５の長手方向に移動する。このとき、ブラシ保持部２１の下端はキャリッジ４５により移動するが、ブラシ保持部２１の上端は回転体５３がレール５２内を回転移動し、当該ブラシ保持部２１の上端を案内する。移動用モータ４３は正逆回転可能であり、よって、ブラシ保持部２１は、エアフィルタ１６の長手方向の左右方向に移動可能である。ブラシ３１によって掃き取られた塵埃はブラシ保持部２１が集塵機構６１まで移動すると、櫛歯６２によって掻き取られて集塵容器６３に落ちる。
【００２１】
また、ブラシ保持部２１は、エアフィルタ１６の第１屈曲部１６ａの屈曲形状に合うように屈曲した第２屈曲部３６を有し、当該第２屈曲部３６にはブラシ３１が設けられていない。そのため、エアフィルタ１６が第１屈曲部１６ａで屈曲していてもエアフィルタ１６が邪魔になることなく、ブラシ保持部２１の移動がスムーズである。
また、ブラシ保持部２１のエアフィルタ１６側は板金３２で形成されている。すなわち、金属製であるため、たわみづらく、エアフィルタ１６の第１屈曲部１６ａに第２屈曲部３６に当接したりしにくく、この点でもブラシ保持部２１の移動がスムーズである。
【００２２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【符号の説明】
【００２３】
１      室外機
２      室内機
８      室内空気熱交換器
４      貫流ファン（送風ファン）
１６    エアフィルタ
１６ａ  第１屈曲部
２１    ブラシ保持部
３１    ブラシ
３２    板金
３６    第２屈曲部
１００  空気調和機
【図１】
2017166800.tif 000003
【図２】
2017166800.tif 000004
【図３】
2017166800.tif 000005
【図４】
2017166800.tif 000006
【図５】
2017166800.tif 000007
【図６】
2017166800.tif 000008
【図７】
2017166800.tif 000009